(57)【要約】【課題】尿臭を効果的かつ簡便に低減できる技術を提供する。【解決手段】  尿の付着と乾燥が生じ得る範囲に対し、非揮発性臭気抑制成分を含む尿臭抑制用組成物を塗布することにより、尿由来の臭気を抑制する尿臭抑制方法。【選択図】  なし【特許請求の範囲】
【請求項１】
尿の付着と乾燥が生じ得る範囲に対し、非揮発性臭気抑制成分を含む組成物を塗布することにより、尿由来の臭気を抑制することを特徴とする尿臭抑制方法。
【請求項２】
非揮発性臭気抑制成分として含窒素水溶性高分子を含む組成物を用いる請求項１記載の尿臭抑制方法。
【請求項３】
請求項１または２に記載の尿臭抑制方法において、非揮発性臭気抑制成分を含む組成物を塗布する方法として、噴霧して塗布する方法であって、かつ噴霧直後の組成物の粒子の最大粒径を３００μｍ以下とする方法を用いる尿臭抑制方法。
【発明の詳細な説明】
【技術分野】
【０００１】
本発明は尿臭抑制方法に関に関する。
【背景技術】
【０００２】
住宅の高気密化と生活者の清潔意識に伴い、空間の臭気に対する消費者の意識が高まっている。一般に家庭の不快臭としては、トイレ空間の糞尿由来臭、台所の生ゴミ臭、リビングの煙草臭、玄関の靴臭等、生活者の汗や体臭等、多種多様な臭気が挙げられるが、これらはいずれも通常の生活の中で生じる生活臭である。
特にトイレのような比較的小さく区切られた空間は、空気の拡散が遮られてしまうため、一旦臭気が発散すると空間内に臭気が漂い、生活者にとっては不快な空間の代表的な存在になっている。
【０００３】
トイレの臭気は一旦空間中に拡散すると、感覚的閾値濃度が非常に低いため、ごく少量でも不快臭の原因となる。
従来はこのような不快な臭気成分を消すための方法として物理的方法および化学的方法が採用されている。
【０００４】
物理的方法としては、（方法１）窓の開閉による換気、空調設備による強制換気等が挙げられる。その他、（方法２）活性炭等の吸着力を利用して不快成分を吸着消臭する吸着法もある。
一方、化学的手法としては、（方法３）各種、芳香・消臭剤等の薬剤処理法、（方法４）マスキング法がある。
（方法３）は、酸、アルカリ、酵素等により消臭（臭気成分を化学的中和あるいは分解）するものが一般的である。特表平１１−５０４９７７公報（特許文献１）には特定の酵素を含有することにより便器などの悪臭を除去する技術が開示されている。
（方法４）は、一般家庭で最も実施されている方法であり、消臭剤自身の有する香気等によって不快臭をマスクすることにより消臭するものである。
【０００５】
また、以下の様な窒素を含む高分子を含有するトイレ用の洗浄剤組成物が提案されている。
例えば特開２００１−３０３０９８号公報（特許文献２）には、消臭洗浄成分として両性界面活性剤、防汚成分として分子中に第４級アンモニウム基を含む水溶性ポリマーを含有する「トイレ用防汚消臭洗浄剤組成物」が提案されている。特開２００２−３４８５９６号公報（特許文献３）には、特定の窒素を含む高分子、界面活性剤、香料成分を含むトイレ用の洗浄剤組成物が記載されている。
これらは、いずれも便器内にスプレーし、便器を洗浄するとともに汚れ付着防止効果を付与することを目的としている。そして、特許文献２に記載の技術では、両性界面活性剤が消臭剤として働くため、防臭効果も得られると記載されている。また、特許文献３に記載の技術では、消臭のために香料を配合し、これにより防臭効果も得られる記載とされている。
【特許文献１】特表平１１−５０４９７７公報
【特許文献２】特開２００１−３０３０９８号公報
【特許文献３】特開２００２−３４８５９６号公報
【発明の開示】
【発明が解決しようとする課題】
【０００６】
ところで、トイレの臭気の原因のひとつとして、尿による臭いがあげられる。
しかしながら、この様な尿臭について、従来の（方法１）〜（方法４）では以下の様な問題がある。
（方法１）は、近年の住宅事情では窓が設定されてないトイレも多く、またこれらの方法は逆に外気要因を室内に取り入れることに繋がるため、外気が汚染されているような場所においてはかえって室内を汚染する原因となり一般的な方法とは言い難いし、効果も不充分である。
また、（方法２）は、吸着成分と臭気成分とが充分に接触しなければ効果を発揮できず、また吸着量にも上限があるといったように、効率的な消臭方法とはいえないし、効果も不充分である。
（方法３）は、対象となる悪臭成分が単一である場合には有効な手段であるが、尿の臭気のように様々な臭気成分の複合臭に対しては必ずしも有効とは言えない。また、（方法４）は、消臭剤自身の有する香気やその強さに対しては人の好みがあり、その香気に嫌悪感を抱くものがあるため効果については個人差によるところが大きく、また効果の点でも充分とは言い難い。
【０００７】
また、特許文献２、３に開示された洗浄剤組成物は、いずれも便器の内部の汚れを除去するとともに、配合された消臭成分の効果によって発生した悪臭の影響を低減するものであるが、（方法４）と同様、効果が充分であるとは言えない。
【０００８】
そこで、本発明においては、尿臭を効果的かつ簡便に低減できる技術を提供することを課題とする。
【課題を解決するための手段】
【０００９】
前記課題を解決するために本発明においては、以下の手段を提案する。
第１の発明は、尿の付着と乾燥が生じ得る範囲に対し、非揮発性臭気抑制成分を含む組成物を塗布することにより、尿由来の臭気を抑制することを特徴とする尿臭抑制方法である。
第２の発明は、非揮発性臭気抑制成分として含窒素水溶性高分子を含む組成物を用いる前記第１の発明の尿臭抑制方法である。
第３の発明は、前記第１または第２の発明の尿臭抑制方法において、非揮発性臭気抑制成分を含む組成物を塗布する方法として、噴霧して塗布する方法であって、かつ噴霧直後の組成物の粒子の粒径を３００μｍ以下とする方法を用いる尿臭抑制方法である。
【発明の効果】
【００１０】
本発明においては、尿臭を効果的かつ簡便に抑制できる方法を提供できる。
【発明を実施するための最良の形態】
【００１１】
本発明者がトイレの臭気について検討したところ、トイレ内においては、目には見えないが、飛沫した尿が床や壁に飛散していることがわかった。そして、これが乾燥する過程、または乾燥後（特に乾燥後）に、尿由来の強い臭気が発生することがわかった。
そこで、この様に壁等に付着した尿の臭いを簡便に抑制する方法として、本発明の尿臭抑制方法においては、尿の付着と乾燥が生じ得る範囲（例えば尿飛び散り部位）に対し、好ましくは尿が乾く前に非揮発性臭気抑制成分を含む組成物（以下、便宜上「尿臭抑制用組成物」という）を塗布する。
【００１２】
非揮発性臭気抑制成分（以下、（ａ）成分ということがある）は、例えば尿が飛び散った後の尿の付着面に塗布しても揮発しない。そのため、尿臭抑制用組成物を塗布すると、尿と尿臭抑制用組成物中の非揮発性臭気抑制成分とが充分に接触し、尿が乾燥する過程における臭気の発生を効果的に抑制することができる。
この様に非揮発性臭気抑制成分を含む尿臭抑制用組成物を、尿の飛沫が付着した部分に、尿が完全に乾く前、好ましくは尿が付着した直後に塗布することにより、尿由来の臭気が発生すること自体を防ぐことができる。
【００１３】
ここで、本発明において、尿臭抑制用組成物は、尿が飛び散ること等によって付着し、これを放置すると乾いてしまう様な部分（尿の付着とその乾燥が生じ得る範囲）に適用する。具体的には、例えばトイレの床、壁、便器の外壁等である。よって、特許文献２、３に開示されている洗浄剤組成物とは異なり、便器内部の様に頻繁に水が流れる様な部分への適用が好適なものではない。
【００１４】
尿臭抑制用組成物の塗布の方法は、特に限定するものではなく、臭気発生源に、噴霧などにより直接塗布する方法が挙げられる。なお、尿臭抑制用組成物を含浸した不織布等のシートにより対象面に尿臭抑制用組成物を塗布する方法を用いてもよいが、容器に収容して噴霧する方法が好ましい。
そして、塗布した後、ふきとり操作を行わなくても臭気を抑制することができる。ふきとりを行なってもよいが、通常、特に必要はない。そのため、非常に簡便かつ効率的に処理することができる。
【００１５】
尿臭抑制用組成物を容器に収容する場合、その収容する容器としては、尿が飛び散って付着している対象面に対して、トリガー式スプレーヤーにより噴霧する方式のもの、泡状もしくは霧状のエアゾールより噴霧する方式のもの、ボトル口より尿臭抑制用組成物を吐出する方式のものなどが挙げられる。さらに好ましくは霧状トリガー式スプレーヤー、霧状エアゾール、霧状ディスペンサー等が挙げられ、特に霧状トリガー式スプレーヤーが好ましい。
また、噴霧して塗布する方法においては、噴霧直後において、その尿臭抑制用組成物の粒子の最大粒径を、望ましくは３００μｍ以下、さらに好ましくは１５０μｍ以下、特には１００μｍ以下とする。３００μｍ以下にすることにより、尿臭抑制用組成物が素早く乾くため好ましい。また、噴霧後の凝集を防ぎ、均一に塗布することができる。粒径が小さい程速乾性が良好であるので、その観点では下限値を規定する技術的意義はないが、最小粒径は１０μｍ以上、好ましくは１５μｍ以上、特には３０μｍ以上であることが好まし。１０μｍ以上であることにより噴霧後の舞い上がりを効果的に防ぎ、効率よく塗布することができる。
【００１６】
なお、粒径は東日コンピュータアプリケーションズ株式会社製  粒度分布測定装置ＬＤＳＡ−１３００Ａ（商品名）を用いて、以下の条件で測定することができる。
使用レンズ：３００ｍｍ
焦点距離：３０ｃｍ
噴霧距離：１０ｃｍ
解析モデル式：ロジン・ラムラー式
【００１７】
また、粒径は、例えば容器を変更すること；スプレーであればノズル部分の口径をかえること、圧力弁により噴霧圧量を調整すること等、エアゾールであれば、ガス圧を調製すること等により調製することができる。
【００１８】
特に好ましい態様は、例えばトイレで用を足した直後、飛び散った尿が乾燥する前に、トイレの壁や床全体に、好ましくはスプレーなどで霧状に、より好ましくは均一に尿臭抑制用組成物を噴霧することである。
この様にして、トイレを使用した直後に尿臭抑制用組成物を噴霧することを習慣にすれば、尿飛沫から発生する悪臭を常に抑制することができ、快適なトイレ空間を維持することができる。
また、本発明の方法は、トイレに限らず、付着した尿が乾燥する過程で発生する尿臭が問題となる場所であれば限定せずに適用することができる。
【００１９】
つぎに本発明に用いる尿臭抑制用組成物について説明する。
「非揮発性臭気抑制成分」
非揮発性臭気抑制成分（（ａ）成分）としては、水溶性高分子、スメクタイトなどの無機粘土鉱物等が挙げられる。
水溶性高分子としては、含窒素水溶性高分子や窒素を含まない水溶性高分子が挙げられる。
【００２０】
含窒素水溶性高分子としては、ビニルピロリドン、エチレンイミン、アクリルアミド、および塩化ジメチルジアリルアンモニウムからなる群から選ばれる１種以上を重合させてなるホモポリマーやコポリマー；アクリル酸および／またはその塩とアクリルアミドとのコポリマー、ポリ（メタ）アクリルアミドの部分加水分解物（「ポリ（メタ）アクリルアミド」はアクリルアミドおよび／またはメタクリルアミドのポリマーを示す。）、塩化ジメチルジアリルアンモニウムとアクリルアミドのコポリマーの他、塩化O−〔2−ヒドロキシ−3−（トリメチルアンモニオ）プロピル〕ヒドロキシエチルセルロース  などのカチオン化セルロースなどが挙げられる含窒素水溶性高分子の中でも、カチオン化セルロース；ビニルピロリドンおよび／またはエチレンイミンを主成分として重合してなる水溶性高分子；が好ましく、ビニルピロリドンおよび／またはエチレンイミンを主成分として重合してなる水溶性高分子が、適度な粘度に調整できる点から、さらに好ましい。
ビニルピロリドンおよび／またはエチレンイミンを主成分として重合してなる水溶性高分子においては、ビニルピロリドンおよび／またはエチレンイミンの全原料モノマー中の割合が８０質量％以上、好ましくは９０質量％以上、最も好ましくは１００質量％となる様にして、重合されてなる水溶性高分子が好ましい。また、製造性の点では、ポリビニルピロリドン、ポリエチレンイミンが好ましい。
【００２１】
窒素を含まない水溶性高分子としては、キサンタンガム、グアーガム、澱粉、シクロデキストリン等に代表される多糖類系高分子、カルボキシメチルセルロース、ヒドロキシエチルセルロース等のセルロース系高分子、ポリアクリル酸塩及びアクリル酸系共重合体、ポリスチレン酸塩等のスチレン酸系共重合体等の合成高分子等が挙げられる。
【００２２】
そして、（ａ）成分においては、水溶性高分子が好ましく、さらに含窒素水溶性高分子が効果が好ましい。
水溶性高分子の質量平均分子量（ポリスチレン換算のゲルパーミエーションクロマトグラフィによる測定値、以下同じ）は、べたつき軽減の点から、３００００以上、好ましくは４００００以上とされる。上限値は特に限定するものではないが、溶解性などを考慮すると２００００００以下である。
【００２３】
尿臭抑制用組成物において、（ａ）成分の配合量は、好ましくは０．０１〜１０質量％、さらに好ましくは０．２〜１質量％、さらには０．２〜０．５質量％である。
下限値以上にすることにより尿臭抑制効果が充分に得られ、上限値以下とすることにより、尿臭抑制用組成物を塗布した壁、床等の表面上で粉ふき等の問題を生じることを防ぐことができる。
なお、（ａ）成分は、尿臭抑制の観点から、壁、床等の塗布面を被覆する程度に残存させることが好ましく、この点においても上記の配合量が好ましい。
（ａ）成分は１種または２種以上混合して用いることができる。
【００２４】
「水溶性有機溶剤」
尿臭抑制用組成物は、水溶性有機溶剤（以下、（ｂ）成分ということがある）を含有することが好ましい。（ｂ）成分を配合することにより、（ａ）成分による臭気成分の抑制効果が高まり、尿臭抑制効果が向上する。
（ｂ）成分としては、メタノール、エタノール、n−プロパノール、イソプロパノール、ｎ−ブタノール、ｓ−ブタノール、ｔ−ブタノール、エチレングリコール、ジエチレングリコール、トリエチレングリコール、プロピレングリコール、ジプロピレングリコール、トリプロピレングリコール、ジエチレングリコールモノエチルエーテル、ジエチレングリコールモノプロピルエーテル、ジエチレングリコールモノブチルエーテル、グリセリン、アルキルグリセリルエーテル等が挙げられる。
そして、壁、床などの塗布面の後残りを低減できる点から、炭素数３以下のアルコールが好ましい。
尿臭抑制用組成物中の（ｂ）成分の好ましい配合量は５〜３０質量％であり、さらに好ましくは１０〜２０質量％、特に好ましくは１５〜２０質量％である。
下限値以上にすることにより、臭気の抑制効果を向上させることができるとともに、尿臭抑制用組成物をより均一に塗布にすることができる。また、上限値以下にすると、壁、床等の塗布面への影響が小さく好ましい。
（ｂ）成分は１種または２種以上混合して用いることができる。
【００２５】
「除菌剤」
尿臭抑制用組成物には、除菌剤（以下、（ｃ）成分ということがある）を配合すると、尿臭抑制、衛生面の向上の両方の効果が得られるため好ましい。
（ｃ）成分としては、銀、亜鉛、銅等の無機金属を含む無機金属含有成分；パラオキシ安息香酸イソブチル、パラオキシ安息香酸イソプロピル、パラオキシ安息香酸エチル、パラオキシ安息香酸メチル、パラオキシ安息香酸ブチル、パラオキシ安息香酸プロピル、フェノール、３−メチル−４−イソプロピルフェノール、２−イソプロピル−５−メチル−フェノール、オルトフェニルフェノール、メチルフェノール、パラクロロフェノール、トリブロムフェノール、４−クロロ−２−（フェニルメチル）フェノール等の芳香族系除菌剤；ホルムアルデヒド、オルトフタルアルデヒド、グルタルアルデヒド、シンナムアルデヒド等のアルデヒド系除菌剤；ソルビン酸、ソルビン酸カリウム等のソルビン酸系除菌剤；５−クロロ−２−メチル−４−イソチアゾリン−３−オン、２−メチル−４−イソチアゾリン−３−オン、２−ｎ−オクチル−４−イソチアゾリン−３−オン、１,２−ベンゾチアゾロン等のイソチアゾロン系、ポリヘクサメチレンビグアニジン塩酸塩、クロルヘキシジングルコン酸塩、クロルヘキシジン塩酸塩等のビグアナイド系除菌剤；アルキルジメチルベンジルアンモニウム塩、ジアルキルジメチルアンモニウム塩、アルキルトリメチルアンモニウム塩、オクタデシルアミン酢酸塩、アルキル（ジアミノエチル）グリシン塩酸塩、セチルピリジニウム塩、ドデシルピリジニウム塩等の界面活性剤系除菌剤；等が挙げられる。
【００２６】
中でも、特に少量で高い効果をもち、安全性などの点からも、無機金属含有成分（「抗菌性無機金属化合物」として販売されていることもある）が好ましく、中でも銀を含む銀系無機抗菌剤が好ましい。
無機金属含有成分としては、除菌能力を有するものであれば限定することはなく、例えば無機金属そのもの、無機金属の酸化物、塩酸塩、硫酸塩、硝酸塩等を、ゼオライト、粘土鉱物、シリカゲル等のケイ酸塩、リン酸ジルコニウム、リン酸カルシウム等のリン酸塩類や、酸化ケイ素、酸化アルミニウム、酸化チタン、酸化亜鉛、酸化鉄、酸化ジルコニウムなどの酸化物に担持したものなどが挙げられる。
この中でも、抗菌性の無機金属酸化物を担持した化合物が望ましい。また、（ｃ）成分において、特に無機金属を担持した粒子を用いる場合は、平均粒子径が１〜５００ｎｍ、好ましくは１〜１００ｎｍであることが望ましい。このような範囲にあると、粒子が安定な分散状態で存在することがより可能になり、また、粒子径が小さいため、菌との接触の観点からも有利に働く。
このような無機金属含有成分としては、商業的に入手可能なものを使用することができる。例えば、ＡＴＯＭＹＢＡＬＬ−Ｓ、ＡＴＯＭＹＢＡＬＬ−Ｌ、ＡＴＯＭＹＢＡＬＬ−ＵＡの商品名で触媒化成工業株式会社から販売されている銀系無機抗菌剤を使用することができる。
【００２７】
尿臭抑制用組成物中の（ｃ）成分の配合量は、例えば銀を含む銀系無機抗菌剤の場合、銀元素濃度に換算して、２ｐｐｍ以上、好ましくは、２ｐｐｍ〜５００ｐｐｍである。下限値以上にすることにより除菌効果が向上し、上限値以下にすることにより、効果が飽和して経済的に不利となることを防ぐことができる。
（ｃ）成分は１種または２種以上混合して用いることができる。
【００２８】
その他の任意成分
尿臭抑制用組成物には、この他の任意の成分を配合することができる。
例えば、洗浄あるいは起泡等の効果を付与する点から、界面活性剤を適宜配合することができる。
界面活性剤としては、陰イオン界面活性剤、両性界面活性剤、ノニオン界面活性剤などを用いることができ、これらの中の特定なものに限定されるものではない。その代表例は、次の通りである。
【００２９】
（１）陰イオン界面活性剤
アルキル硫酸塩、アルキルエーテル硫酸塩、アルキルベンゼンスルホン酸塩、α−オレフィンスルホン酸塩、脂肪酸塩、アルキルエーテルカルボン酸塩、アルキルリン酸塩等である。これら陰イオン界面活性剤の対イオン（陽イオン）は、アルカリ金属イオン、アルカリ土類金属イオン、アルカノールアミンイオン、アンモニウムイオン等である。
【００３０】
（２）両性界面活性剤
アルキルカルボキシベタイン、アルキルスルホベタイン等である。
【００３１】
（３）非イオン性界面活性剤
ポリオキシエチレンアルキルエーテル、ポリオキシエチレンポリオキシプロピレンアルキルエーテル、ポリオキシエチレンアルキルフェニルエーテル、脂肪酸ポリグリセリンエステル、脂肪酸ショ糖エステル、脂肪酸アルカノールアミド、アルキルアミンオキサイド、アルキルアミンオキサイド等である。
【００３２】
また、洗浄補助の目的等で、必要に応じて酸、アルカリ剤、キレート剤等を配合することができる。
酸の例としては、安息香酸、グリコール酸、ジグリコール酸、グルコン酸、シュウ酸、リンゴ酸、クエン酸、グルタール酸、乳酸、酒石酸、酢酸、パラトルエンスルホン酸、メタキシレンスルホン酸、ヒドロキシエタンジホスホン酸、マロン酸、スルファミン酸、リン酸、硫酸、塩酸、硝酸等が挙げられる。
【００３３】
アルカリ剤の例としては、モノエタノールアミン、ジエタノールアミン、トリエタノールアミン、モノイソプロパノールアミン、Ｎ−メチルエタノールアミン、Ｎ−エチルエタンノールアミン、Ｎ−ブチルエタノールアミン、Ｎ−ブチルエタノールアミン、モルホリン等の有機アミン類；水酸化ナトリウム、水酸化カリウム等の無機アルカリ；等が挙げられる。
【００３４】
キレート剤の例としては、ニトリロトリ酢酸、イミノジ酢酸、エチレンジアミンテトラ酢酸、ジエチレントリアミノペンタ酢酸、Ｎ−ヒドロキシエチルエチレンジアミン酢酸、エチレンジアミンテトラプロピオン酢酸、トリエチレンテトラミンヘキサ酢酸、エチレングリコールジエーテルジアミンテトラ酢酸、ヒドロキシエチルイミノジ酢酸、シクロヘキサン−１，２−ジアミンテトラ酢酸、ジエンコル酸等のアミノカルボン酸類；エタン−１、１−ジホスホン酸、エタン−１、１、２−トリホスホン酸、１−ヒドロキシエタン−１、１−ジホスホン酸およびその誘導体、１−ヒドロキシエタン−１、１、２−トリホスホン酸、エタン−１、２−ジカルボキシ−１、２−ジホスホン酸、メタンヒドロキシホスホン酸、アミノトリメチレンホスホン酸等のホスホン酸類；が挙げられる。
【００３５】
また、香料を配合することができる。
香料成分としては特に限定するものではないが、具体的には、脂肪族炭化水素、テルペン炭化水素、芳香族炭化水素等の炭化水素類；脂肪族アルコール、テルペンアルコール、芳香族アルコール等のアルコール類；脂肪族エーテル、芳香族エーテル等のエーテル類；脂肪族オキサイド、テルペン類のオキサイド等のオキサイド類；脂肪族アルデヒド、テルペン系アルデヒド、水素化芳香族アルデヒド、チオアルデヒド、芳香族アルデヒド等のアルデヒド類；脂肪族ケトン、テルペンケトン、水素化芳香族ケトン、脂肪族環状ケトン、非ベンゼン系芳香族ケトン、芳香族ケトン等のケトン類；アセタール類；ケタール類；フェノール類；フェノールエーテル類；脂肪酸、テルペン系カルボン酸、水素化芳香族カルボン酸、芳香族カルボン酸等の酸類；酸アマイド類；脂肪族ラクトン、大環状ラクトン、テルペン系ラクトン、水素化芳香族ラクトン、芳香族ラクトン等のラクトン類；脂肪族エステル、フラン系カルボン酸エステル、脂肪族環状カルボン酸エステル、シクロヘキシルカルボン酸族エステル、テルペン系カルボン酸エステル、芳香族カルボン酸エステル等のエステル類；ニトロムスク類；ニトリル、アミン、ピリジン類；キノリン類；ピロール、インドール等の含窒素化合物等の合成香料；植物からの天然香料；を挙げることができる。
【００３６】
尿臭抑制用組成物は、例えば（ａ）成分を溶剤に溶解して製造することができる。溶剤は水、上記（ｂ）成分などが挙げられるが、水と（ｂ）成分の混合溶剤とすることが好ましい。また、（ｃ）成分、他の任意成分は、例えば（ａ）成分とともに溶剤に投入して混合して配合する。
【００３７】
本発明においては、尿臭抑制用組成物を尿の付着、乾燥が生じ得る範囲に塗布することにより、尿と尿臭抑制用組成物中の（ａ）成分とが接触し、尿が乾燥する過程において発生する臭気を効果的に、迅速に抑制することができる。また、噴霧などの方法によって簡便に処理することができる。
また、尿から悪臭が発生する前に処理することができるので、不快臭気成分を効果的に除去するために、多大なエネルギーや薬剤量を投入しなくても除去可能であるという利点もある。
【実施例】
【００３８】
以下に実施例を用いて本発明をさらに詳しく説明するが、本発明はこれら実施例に限定されるものではない。また、％は特に説明がない限り「質量％」である。
【００３９】
［使用した原料］
評価を行うにあたり、試料は以下の原料を用いて調製した。
（非揮発性臭気抑制成分）
ポリエチレンイミン（質量平均分子量７００００）：日本触媒社製（エポミンS-1000（商品名））
スメクタイト：クニミネ社製（スメクトンＳＡ（商品名））
ポリビニルピロリドン：日本触媒社製（質量平均分子量  ４００００、ポリビニルピロリドンK-30（商品名））
カチオン化セルロース：ライオン社製  レオガードＧＰ（商品名）
【００４０】
（その他の成分）
エタノール：試薬（関東化学）
クエン酸：扶桑化学工業社製  クエン酸
クエン酸Ｎａ：扶桑化学工業社製  精製クエン酸ナトリウムＬ（商品名）
ナノ粒子銀系無機抗菌剤：触媒化成社製  ATOMYBALL  UA（商品名）
モノエタノールアミン：三井化学社製  モノエタノールアミンMEA（商品名）
ＬＰＢ（ラウリン酸アミドプロピルベタイン）：一方社製  LPB-30（商品名）
アルコールエトキシレート（EO5（エチレンオキサイド平均付加モル数５））：ライオン製（レオックスＬＣ７０）（商品名）
カラギーナン：三晶製ゲニューゲルカラギーナンタイプWR-712（商品名）
TWEEN80（ポリエチレンソルビタンオレート）：試薬（関東化学）
【００４１】
［実施例１〜１０、比較例１〜４］
（試料の調整）
表１、表２に示す組成および水を用いて、以下の様にして試料を調整した。なお、香料組成物の組成は表３に示した。
実施例1の試料の調整は、以下の通りである。
すなわち、２００ｍＬビーカーに水５０ｇ、エタノール１０ｇ、ポリエチレンイミン８０％水溶液（日本触媒社製  エポミンS−１０００（商品名））０．６７ｇを溶解しマグネチックスターラーで５分間攪拌した。次にクエン酸、クエン酸Ｎａを順次添加して攪拌溶解した。さらにエタノールに香料組成物１０ｇを溶解したものを添加して、最後にバランス量の水を加えて１０分間攪拌して試料1とした。
実施例２〜１０、比較例１〜４についても同様にして調製した。
【００４２】
これらの試料に対して以下の評価を行った。
（尿臭抑制効果試験）
成人男性３人より採取した尿１００ｍLずつを混合した（以下、混合尿とする）。４５０ｍLのガラスビン内で混合尿０．２５ｍLを滴下し、４０℃開放系で1晩と放置乾燥させたものに対し、霧スプレー容器（ライオン（株）製エフイン５００ナチュラルセットウォーター容器）を用いて試料１ｍＬをガラスビン内全体が濡れるように噴霧し、さらに４０℃開放系で1晩放置して乾燥させた。翌日、フタをして密閉して１０分間放置後、フタを開放し、ビン内の臭気強度を６段階臭気強度表示法によりパネラー５名で評価し、その平均により尿臭抑制効果を、下記の評価基準に従って評価した。
評価結果を表１、表２にあわせて示した。
【００４３】
・評価基準
○：効果がある（６段階臭気強度平均値：２未満）
△：効果がややある（６段階臭気強度平均値：２以上４未満）
×：効果がほとんどない（６段階臭気強度平均値：４以上）
【００４４】
（除菌試験）
（１）除菌力試験
ステンレス（直径２cm円形ディスク）板に１０８ｃｆｕ／ｍＬの大腸菌液０．０１ｍＬを塗布したものを自然乾燥し、試料０．１ｍＬを塗布し、５分間作用したときの菌数を測定した。
ＴＷＥＥＮ８０  ０．０５％水溶液を処理した際の菌数差より以下の判定基準に従い判定した。
判定結果を表１、表２にあわせて示した。
【００４５】
・判定基準
○：ＴＷＥＥＮ８０に比べ菌数がＬＯＧ２以上減少する
×：ＴＷＥＥＮ８０との菌数差がＬＯＧ２に達しない
【００４６】
【表１】
2006149893.tif 000002
【００４７】
【表２】
2006149893.tif 000003
【００４８】
【表３】
2006149893.tif 000004
【００４９】
表１、２の結果より、非揮発性臭気抑制成分を含む尿臭抑制用組成物を用いた実施例１〜１０は、非揮発性臭気抑制成分を用いたなかった比較例１〜４と比べて尿臭抑制効果に優れることが確認できた。また、ナノ粒子銀系無機抗菌剤を配合した場合は除菌効果も良好であった。
【００５０】
［実施例１１〜１３、比較例５〜６］
尿臭抑制用組成物を噴霧した場合（実施例）と、非揮発性臭気抑制成分をゲル試料に配合し、容器に入れて設置した場合（比較例）とを比べて、適用方法によって尿臭抑制効果が異なるか否かの試験を行った。
【００５１】
（実施例の評価に用いる試料の製造）
１Ｌ  ビーカーに水５００ｇ、ポリエチレンイミン３０％水溶液（日本触媒社製  エポミンＳ−１０００（商品名））６．７７ｇ、クエン酸０．５ｇ、クエン酸Ｎａ０．５ｇを添加した後、マグネチックスターラーで５分間攪拌した。さらにバランス量の水を加えて全体を１００ｇとした後１０分間攪拌したものを試料として用いた。
【００５２】
（噴霧評価：実施例１１〜１３）
４５０ｍLのガラスビン内で混合尿０．２５ｍＬを滴下し、４０℃開放系で１晩と放置乾燥させたものを臭気評価モデルとした。
ついで、評価モデルに対し、霧噴霧装置を用いて試料１ｍＬをビン内が均一に濡れるように噴霧した後、４０℃開放系で1晩放置して乾燥させた。翌日フタをして密閉して１０分間放置後、フタを開放し、ビン内の臭気強度を６段階臭気強度表示法によりパネラー５名で評価し、その平均により以下の基準で尿臭抑制効果を判定した。結果を表４に示した。
【００５３】
・評価基準
○：効果がある（６段階臭気強度平均値：２未満）
△：効果がややある（６段階臭気強度平均値：２以上４未満）
×：効果がほとんどない（６段階臭気強度平均値：４以上）
【００５４】
なお、霧噴霧装置は、以下の異なる容器をそれぞれの実施例に用いることにより、噴霧直後の粒径が異なる様にした。噴霧直後の粒径の最大測定値と最小測定値は表４にあわせて示した。
・評価に用いる霧発生装置および使用方法
実施例１１: ライオン（株）製エフイン５００ナチュラルセットウォーター容器に試料を入れ、通常の操作で噴霧した。
実施例１２：ライオン（株）キレイキレイ生ゴミ消臭スプレー容器に試料を入れ、通常の操作で噴霧した。
実施例１３：ルック窓ガラスの洗剤容器に試料５０ｇを封入し、ＬＰＧ（液化石油ガス：ダイゾー社製）５ｇを加え、評価モデル内に向けて5秒間噴霧した。
【００５５】
なお、粒径の測定は以下の方法により行った。
（粒径測定）
東日コンピュータアプリケーションズ株式会社製  粒度分布測定装置ＬＤＳＡ−１３００Ａ（商品名）を用いて、以下の条件で測定した。
使用レンズ：３００ｍｍ
焦点距離：３０ｃｍ
噴霧距離：１０ｃｍ
解析モデル式：ロジン・ラムラー式
【００５６】
（比較例に用いるゲル試料の製造）
・比較例５
５００ｍＬビーカー中の水２９５ｇにカラギーナン３ｇを加え、スリーワンモーターで攪拌しながら、８０℃の水浴で加熱した。これにポリエチレンイミン３０％水溶液（日本触媒社製  エポミンＳ−１０００（商品名））２．０ｇ、クエン酸０．１５g、クエン酸Na０．１５ｇを添加し、３０分間攪拌した後、水浴から取り出し、自然冷却してゲル化したものを試料とした。
【００５７】
・比較例６
５００ｍＬビーカー中の水２９５ｇにカラギーナン３ｇを加え、スリーワンモーターで攪拌しながら、８０℃の水浴で加熱した。これにポリエチレンイミン３０％水溶液（日本触媒社製  エポミンＳ−１０００（商品名））２．０ｇ、クエン酸０．１５g、クエン酸Ｎａ０．１５ｇ、アルコールエトキシレート（EO5）１５ｇ、表３に示した香料組成物Ｃ３ｇを添加し、３０分間攪拌した後、水浴から取り出し、自然冷却してゲル化したものを試料とした。
【００５８】
（ゲル設置評価：比較例５〜６）
４５０ｍＬのガラスビン内で混合尿０．２５ｍＬを滴下し、４０℃開放系で１晩放置乾燥させたものに対し、上記のように調整したゲル試料１ｇを１０ｍＬガラスビーカーに入れ、上記ガラスビン底中央部に設置した。
フタをして密閉して１０分間放置後、フタを開放し、ビン内の臭気強度を６段階臭気強度表示法によりパネラー５名で評価し、その平均により実施例と同じ基準で尿臭抑制効果を判定した。
結果を表４に示した。
【００５９】
【表４】
2006149893.tif 000005
【００６０】
表４の結果より、尿が付着、乾燥した面に塗布することにより、有効な効果が得られることが確認できた。
また、最大粒径３００μｍ以下にすることにより、効果が向上することが確認できた。